(57)【要約】【課題】  安価で容易にインナーソケット内へ係止片を配設することができるボルト締付機を提供する。【解決手段】  インナーソケット２の径方向に貫通する貫通穴２ａに配設する係止片８を、インナーソケット２の後端面から軸方向に平行して形成される平行穴２ｃに圧入されるピン２０により保持するように構成した。係止片８には貫通穴２ａへの挿入方向と直交する貫通穴８ａが形成され、係止片８を貫通穴２ａに挿入した状態でピン２０を貫通穴８ａに貫通させる。貫通穴８ａは、前記ピン２０の直径よりも十分大きい径を有し、ピン２０に対して係止片８は径方向に摺動可能とした。【選択図】図３
2013144328.tif 000002
【特許請求の範囲】
【請求項１】
先端に剪断用のチップを備えたトルクコントロールボルトを締め付けるために、ナットに係合するアウターソケット１チップに係合するインナーソケットを備え、前記インナーソケットを前記アウターソケットに対して軸方向にスライド可能且つスプリングによって飛び出し方向に付勢し、前記アウターソケットと前記インナーソケットに相反する回転力を出力する遊星歯車機構を配設し、前記インナーソケット内にロッドを突き入れて、剪断後のボルトチップを強制排除するボルト締付機であって、
前記インナーソケットに径方向に貫通する貫通穴を設け、該貫通穴に前記トルクコントロールボルトの抜けを防止する係止片を配置し、
前記係止片には前記貫通穴への挿入方向と直交する貫通穴が形成され、前記係止片を前記貫通穴に挿入した状態で前記インナーソケットの軸方向であって前記貫通穴と直交するように前記インナーソケットの端面から形成された貫通穴にピンを圧入することにより前記係止片を前記インナーソケット内に保持することを特徴とするボルト締付機。
【請求項２】
前記貫通穴は、前記ピンの直径よりも十分大きい径を有し、前記係止片は前記貫通穴の軸方向に所定距離だけ移動可能なように保持されることを特徴とする請求項１に記載のボルト締付機。
【発明の詳細な説明】
【技術分野】
【０００１】
本発明は、先端に剪断用のチップを備えたトルクコントロールボルトを締め付けるために好適なボルト締付機に関する。
【背景技術】
【０００２】
トルクコントロールボルトを締め付けるためのボルト締付機が特許文献１のように知られている。従来のトルクコントロールボルト専用のボルト締付機の構成を図４〜図６を用いて説明する。従来例のボルト締付機の全体構成を示す縦断面図である。ボルト締付機はギヤケース１２の先端にアウターソケット１及びインナーソケット１０２を同心に配備し、ギヤケース１２内にアウターソケット１及びインナーソケット１０２に相反する回転力を出力する複数段の遊星歯車機構４を配設し、ギヤケース１２の外側にハンドル１３及び原動機たるモータ１４を備えている。遊星歯車機構４は傘歯車を含む歯車列を介してモータ１４に配設されている。遊星歯車機構４を貫通して、ロッド５が軸方向にスライド可能に配備され、ロッド５の先端はインナーソケット１０２に出没可能に嵌まっている。  
【０００３】
インナーソケット１０２は第一スプリング３によって飛び出し方向に付勢され、アウターソケット１内面のストッパ６に当たって保持されている。インナーソケット１０２の内面に第二スプリング１１に付勢されて押えボール７が臨出しており、押えボール７は、剪断されたボルトチップをインナーソケット１０２内に保持するためのものである。インナーソケット１０２の後部には、壁面を貫通して配備された係止片１０８がスライドする貫通穴１０２ａが形成されている。係止片１０８により、インナーソケット１０２の動作を操作する。ボルトチップがインナーソケット１０２内に挿入されるとともに、ウエイト９が後退することで、係止片１０８とストッパ６の係合が外れ、インナーソケット１０２が後退可能となり、ナットがアウターソケット１と嵌合する。図５は従来のボルト締付機における係止片１０８付近の部分拡大断面図であり、図６は図５のＣ部の部分拡大断面図である。インナーソケット１０２の後部に配備される係止片１０８は、止め輪１１０によりインナーソケット１０２から抜け止めされる。さらに、係止片１０８には平面部１２１が設けられ、確実に止め輪１１０に係合するように形成されている。
【０００４】
再び図４に戻り、アウターソケット１にナットが嵌合すれば、モータ１４を作動させて、アウターソケット１を回転させる。アウターソケット１を回動する力は、その回転方向を違えて同一の回転力としてインナーソケット１０２に伝達され、ボルトチップにナット回動力の反力を伝える。ナットに対する締付力が上昇して必要締付力となった時点で、その反力を受けてボルトチップに捻れ力が作用し、基部の周溝から破断する。これにより、インナーソケット１０２は、ナット回動力の反力を受けられず、ナットの回動が停止され、インナーソケット１０２が無負荷状態で回転し、締め付けを完了する。  
【０００５】
モータ１４のスイッチ１５を切り、ボルト締付機をボルト軸方向に引き抜いて行く。ボルト締付機を引き抜いて行くと、インナーソケット１０２は、破断後のボルトチップを喰えたまま、第一スプリング３によって飛び出し方向に押され、アウターソケット１に当たって停止する。ロッド５も第三スプリング１６の力によってインナーソケット１０２に追従して前進するが、ロッド５の係合部１７が係止部材１８の位置に達すると、係止部材１８と係合部１７が係合し、インナーソケット１０２が更に前進してもロッド５の前進は停止する。解除手段１９を操作して係止部材１８とロッド５の係合を解除すると、第三スプリング１６の付勢力によってロッド５が瞬間的に前進し、インナーソケット１０２内のチップを外部に叩き出し、次の締め付けに備える。
【先行技術文献】
【特許文献】
【０００６】
【特許文献１】特開２０１１−１８３４７９号公報
【発明の概要】
【発明が解決しようとする課題】
【０００７】
ボルト締付機には、本体１台に対してサイズの異なるソケットが複数付属される。よって、容易に組立が行えるインナーソケット構造が求められる。さらに、係止片を止め輪等で抜け止めするには、確実な抜け止めとするため係止片の一部に平面部を設ける必要があることから、係止片は高価な部品となってしまう。
【０００８】
本発明は、係止片の形状を変更することにより、容易にインナーソケット内へ係止片を配設することができるボルト締付機を提供することにある。
【０００９】
本発明の他の目的は、係止片の製造原価を低減すると共に組立てコストを削減できるボルト締付機を提供することにある。
【課題を解決するための手段】
【００１０】
上記目的は、インナーソケット内に配設する係止片をピンにより保持することで解決する。ピンは、あらかじめインナーソケット内に係止片が挿入された状態で、インナーソケットかつ係止片の穴に対してインナーソケット端面から圧入される。ピン径に対して係止片に設けられた穴径は大きく形成されており、ピンに対して係止片は径方向に摺動可能となっている。
【発明の効果】
【００１１】
本発明のボルト締付機は、インナーソケット内に係止片を容易に配設させる手段を提供し、組立効率を上げることに対し寄与することができる。
【図面の簡単な説明】
【００１２】
【図１】本発明の実施例に係るボルト締付機の全体構成を示す縦断面図である。
【図２】図１のＡ部の部分拡大断面図である。
【図３】図２のＢ部の部分拡大断面図である。
【図４】従来例のボルト締付機の全体構成を示す縦断面図である。
【図５】従来のボルト締付機における係止片１０８付近の部分拡大断面図である。
【図６】図５のＣ部の部分拡大断面図である。
【発明を実施するための形態】
【実施例１】
【００１３】
以下、本発明の実施例を図面に基づいて説明する。なお、以下の図において、同一の部分には同一の符号を付し、繰り返しの説明は省略する。また、本明細書においては、前後、上下の方向は図１に示す方向であるとして説明する。図１は本実施例に係るボルト締付機の全体構成を示す縦断面図である。
【００１４】
図１において図４のボルト締付機と異なる構成部品を用いているのは、インナーソケット２と係止片８とピン２０であり、その他の構成部品は図４で示した従来のボルト締付機と共通である。ボルト締付機はギヤケース１２の先端にアウターソケット１及びインナーソケット２を同心に配備し、ギヤケース１２内にアウターソケット１及びインナーソケット２に相反する回転力を出力する複数段の遊星歯車機構４を配設し、ギヤケース１２の外側にハンドル１３及びモータ１４を設けている。遊星歯車機構４は傘歯車を含む歯車列を介してモータ１４に配設されている。インナーソケット２は第一スプリング３によって飛び出し方向に付勢されている。インナーソケット２の内面に第二スプリング１１に付勢されて押えボール７が臨出しており、押えボール７は、剪断されたボルトチップをインナーソケット２内に保持するためのものである。インナーソケット２の後部には、壁面を貫通して配備された係止片８がスライドする穴が形成されている。ボルトチップがインナーソケット２内に挿入されるとともに、ウエイト９が後退することで、係止片８とストッパ６の係合が外れ、インナーソケット２が後退可能となり、ナットがアウターソケット１と嵌合する。
【００１５】
図２は図１のＡ部の部分拡大断面図である。インナーソケット２の後部に配備される係止片８は、図２のような断面位置で見ると長円形の形状をしており、上下方向中央付近には、前後方向に貫通する貫通穴が形成され、その貫通穴を貫通するようにピン２０が設けられ、ピン２０により係止片８は保持される。ピン２０は、あらかじめインナーソケット２内に係止片８が挿入された状態で、インナーソケット２かつ係止片８の穴に対してインナーソケット２端面から圧入される。
【００１６】
図３は図２のＢ部の部分拡大断面図である。インナーソケット２の係止片８が挿入される部分には、径方向に延びる貫通穴２ａが形成される。貫通穴２ａは係止片８の大きさよりもやや大きい径を有し、最内周側は係止片８が内周側に抜け落ちないように径が絞られた絞り部２ｂとなっている。本実施例ではさらに、ピン２０をインナーソケット２の後端面２ｄから軸方向前方に圧入するために、回転中心軸と平行に位置する平行穴２ｃが形成される。貫通穴２ａと平行穴２ｃはお互いが交差するような位置関係になるように形成される。係止片８の上下方向中央付近には、前後方向に貫通する貫通穴８ａが形成される。この図から容易に理解できるように係止片８に設けられた貫通穴８ａの穴径は、ピン２０の径に対して大きく形成されており、ピン２０に対して係止片８が径方向に摺動可能となっている。尚、貫通穴８ａの大きさはピン２０の径方向への摺動距離をどの程度に設定するかによって適宜選択すると良い。
【００１７】
以上、本実施例によれば、係止片８を貫通穴２ａに固定するのにピン２０を用いることによってインナーソケット２内に係止片８を容易に配設させる手段を提供でき、組立効率を上げることができる上に、係止片８を安定して保持することができるボルト締付機を提供することができる。
【００１８】
以上、本発明を実施例に基づいて説明したが、本発明は上述の実施例に限定されるものではなく、その趣旨を逸脱しない範囲内で種々の変更が可能である。例えば上述の実施例では、インナーソケット２内に係止片８を保持する構成を説明したが、インナーソケット２に適用するだけでなく、その他の部品に係止片８または同等の部品を固定する際に本発明を適用しても良い。
【符号の説明】
【００１９】
１  アウターソケット
２  インナーソケット
２ａ  貫通穴
２ｂ  絞り部
２ｃ  平行穴
２ｄ  後端面
３  第一スプリング
４  遊星歯車機構
５  ロッド
６  ストッパ
７  押えボール
８  係止片
８ａ  貫通穴
９  ウエイト
１１  第二スプリング
１２  ギヤケース
１３  ハンドル
１４  モータ
１５  スイッチ
１６  第三スプリング
１７  係合部
１８  係止部材
１９  解除手段
２０  ピン
１０２  インナーソケット
１０２ａ  貫通穴
１０８  係止片
１１０  止め輪
１２１  平面部
【図１】
2013144328.tif 000003
【図２】
2013144328.tif 000004
【図３】
2013144328.tif 000005
【図４】
2013144328.tif 000006
【図５】
2013144328.tif 000007
【図６】
2013144328.tif 000008